(57)【特許請求の範囲】
【請求項１】
動画像を受信し、受信した動画像の最新部分を記憶する動画バッファと、
動画バッファ中の選択した静止画を記憶する静止画バッファと、
静止画データを保存可能な静止画メモリーと、
受信中の動画像又は選択した静止画を表示する表示部とを備え、
動画像を受信し表示中に、記憶スイッチ操作によってその時の画像データを静止画データとして前記静止画バッファに取り込むと共に、前記静止画データの前後の動画像を前記動画バッファに記憶するように所定時間動画像データのバッファリングを行い、
記録スイッチ操作によって前記静止画バッファに取り込まれた静止画データを前記静止画メモリーに記録保存し、
前記記憶スイッチ操作を行った前後の前記動画バッファの動画像データのうち、画像選択操作によって静止画を選択し、該選択した静止画を表示または再表示する通信端末装置において、
前記記録スイッチ操作および前記記憶スイッチ操作で押し込まれるスイッチが設けられおり、
前記スイッチを左右に動かすことで前記画像選択操作がなされることを特徴とする通信端末装置。
【請求項２】
請求項1に記載の通信端末装置において、前記スイッチを２段階に押し込むことのできるスイッチとし、1段階押込まれた時に動画像を静止画バッファに記憶する記憶スイッチと２段階押し込まれたときに前記静止画バッファの画像データを静止画メモリーに記録保存する記録スイッチとして機能することを特徴とした通信端末装置。
【請求項３】
請求項1に記載の通信端末装置において、前記記憶スイッチ又は記録スイッチを操作後、スイッチを解放した場合には動画像表示状態に戻ることを特徴とする通信端末装置。
【請求項４】
請求項1に記載の通信端末装置において、静止画像を記録する際の静止画メモリー領域が、現在接続中の通信相手についての情報が保存されているメモリ領域と関連付けがなされることを特徴とする通信端末装置。
【発明の詳細な説明】
【０００１】
【発明の属する技術分野】
本発明は、動画像を送信可能な通信端末装置に関し、特に動画像から静止画像を取り込んで記録保存する携帯端末装置に関する。
【０００２】
【従来の技術】
従来動画像から静止画像を取り込み記録保存する技術として、例えばビデオカメラ分野では特開平05-292444に見られるように、静止画記録スイッチを２段式に構成し、半押し位置に押下すると動画像信号から１画像分の信号をメモリに静止画像信号として取込み、この取込んだ静止画像信号をビューファインダに映出して確認可能とし、スイッチを全押し位置まで押下するとメモリに取込んだ静止画像信号をテープに記録するビデオカメラが提案されている。
【０００３】
【発明が解決しようとする課題】
しかしながら従来の技術においては、スイッチ押下時のみの静止画像しかメモリに記憶しないため、スイッチ押し下げのタイミングがずれて主要被写体に不要な被写体が入ったり、意図した瞬間の画像ではない等記憶した静止画像に満足な結果が得られなかった場合は、再度トライするか、諦めるしか方法がないという問題があった。
【０００４】
本発明は、動画像を受信可能な携帯端末装置において、常に更新される動画像データをバッファに保存し、そのバッファから任意の静止画像を1枚ずつ取り出す機能を提供し、従来技術の問題点を解決することを目的とする。
【０００５】
【課題を解決するための手段】
そのため本発明においては、
（１）動画像を受信し、受信した動画像の最新部分を記憶する動画バッファと、動画バッファ中の選択した静止画を記憶する静止画バッファと、静止画データを保存可能な静止画メモリーと、受信中の動画像又は選択した静止画を表示する表示部とを備え、動画像を受信し表示中に、記憶スイッチ操作によってその時の画像データを静止画データとして前記静止画バッファに取り込むと共に、前記静止画データの前後の動画像を前記動画バッファに記憶するように所定時間動画像データのバッファリングを行い、記録スイッチ操作によって前記静止画バッファに取り込まれた静止画データを前記静止画メモリーに記録保存し、前記記憶スイッチ操作を行った前後の前記動画バッファの動画像データのうち、画像選択操作によって静止画を選択し、該選択した静止画を表示または再表示する通信端末装置において、前記記録スイッチ操作および前記記憶スイッチ操作で押し込まれるスイッチが設けられおり、前記スイッチを左右に動かすことで前記画像選択操作がなされる。
（２）前記スイッチを２段階に押し込むことのできるスイッチとし、1段階押込まれた時に動画像を静止画バッファに記憶する記憶スイッチと２段階押し込まれたときに前記静止画バッファの画像データを静止画メモリーに記録保存する記録スイッチとして機能する。
（３）前記記憶スイッチ又は記録スイッチを操作後、スイッチを解放した場合には動画像表示状態に戻る。
（４）静止画像を記録する際の静止画メモリー領域を、現在接続中の通信相手についての情報が保存されているメモリ領域と関連付けをする。
上記のように構成し、受信中の動画像データの内の意図した静止画データを静止画メモリーに保存可能とするものである。
【０００６】
【発明の実施の形態】
以下図面等を参照して本発明をさらに詳しく説明する。
図1は本発明の実施例の構成図である。図において、1はデータ受信部であり無線または有線を介して受信した画像データを動画バッファおよび処理部に転送する。2は動画バッファで一定時間(フレーム)の動画データを一時的に保管する。3は処理部でデータ受信部１および動画バッファ２からの画像データをデコードして表示可能なデータに変換する。４は表示部で動画データ、静止画データの表示を行なう。4は静止画バッファで画面表示用のデータを一時的に保管する。5は静止画メモリーでユーザが選択した静止画データを恒久的に記録する。
【０００７】
このような構成において、データ受信部1で受信した動画データを処理部３でデコードして表示部４で動画として表示すると共に動画像データを動画バッファ２に保管する。この時動画バッファ２は新しいデータを逐次保管し、バッファがフルになった場合は過去に保管した動画データを消去し新しい動画データの保管を行ない続ける。
【０００８】
動画データを受信中に記憶スイッチをオンとするとデータ受信部１から処理部3を通って表示部4へのデータの流れを停止し、記憶スイッチをオンしたときの動画バッファ２の画像データを、処理部3を通して静止画バッファに保存しその画像を静止画として表示部4で表示する。動画バッファ２へのデータの保存はこの時も続行しており、記憶スイッチをオンした時の前後の画像が保存されるように一定時間の間保存を続けた後に動画バッファ２への保存を停止する。この状態では動画バッファ２に保存された任意の画像が静止画として選択が可能である。
動画バッファー２の画像データから選択した画像は処理部３を通して静止画バッファ５送られ表示部4で表示する。選択表示している画像がユーザの好みの静止画像あるいは意図した静止画像となった時に、記録スイッチをオンとすれば表示中の静止画像は静止画メモリーに記録される。この画像を電子電話帳などの通信者データと関連付けておけば今後電子電話帳など他のアプリケーションからでも参照可能となり、例えば送信時に短縮番号を入力すれば関連付けした静止画を表示して相手の確認を容易に行うことができる。また、通話相手が電子電話帳等の通信者データに登録されていなかった場合は、前記通話終了後通話相手の氏名、電話番号を登録すると共に前記静止画メモリーに記録した通信相手の画像を電子電話帳に登録する。この時、記録画像のファイル番号を電子電話帳に登録して関連付けし、表示時にそのファイル番号から画像を参照して表示するようにしてもよい。
【０００９】
前記説明ではユーザーによる操作を記憶スイッチや記録スイッチのオン操作で静止画像の表示や記録操作となる例で説明したが、スイッチを２段操作構造とし、１段階目の半押し操作で前記説明の記憶スイッチ操作、さらに押し込む全押し操作で前記説明の記録スイッチ操作としてもよい。図2ではこの2段操作スイッチを用いた例で説明する。
【００１０】
図2は表示の状態および動作のフローを示す。
図2において、7は動画表示状態、8は静止画表示状態、9は動画表示状態を表している。動画表示状態7は、通信中相手画像の表示及び更新をリアルタイムで行なっている。静止画表示状態8は、連続する相手画像の中のあるタイミングでの静止画像表示を行なっている。動画表示状態9は、静止画像を静止画メモリー６に記録保存後通信中相手画像の表示及び更新をリアルタイムで行なっている。
先ず、動画表示状態7において、スイッチが半押しされると静止画表示状態8に移行し、表示部4にはスイッチを半押しした時の静止画像が表示され、動画表示が停止される。この時スイッチを左右に倒すことにより、スイッチ半押し時よりも前の(時間的に過去の)画像、先の(時間的に未来の)画像を選択することができる。
【００１１】
静止画表示状態からさらにスイッチを押し込むことにより、表示部4に表示中の静止画像を静止画メモリーに記録保存したり電子電話帳などの通信中の相手先情報の記憶領域へ保存を行なうことが可能となる。
【００１２】
【発明の効果】
以上説明したように本発明によれば、比較的少ないアクションで、表示中の動画像から任意のタイミングの静止画像を記憶領域に保存することが可能になる。また本発明の画像保存方式によれば、撮影タイミング（記憶タイミング）が多少ずれても撮影前後の動画像が動画バッファに保存されているため、動画バッファの中から好みの静止画像や意図したタイミングの画像を容易に取り出すことが可能となる。また、保存した画像データを電子電話帳の番号データと関連付けを行い、送信ダイヤル時に画像を表示させれば通話相手の確認が容易となる。
【図面の簡単な説明】
【図１】本発明の構成図
【図２】表示の状態および動作のフローを示す図。
【符号の説明】
データ受信部
動画バッファ
処理部
表示部
静止画メモリー
【図１】
0004683684.tif 000002
【図２】
0004683684.tif 000003